(57)【要約】【課題】予め設定された画像によるアラーム機能を確実に発現させる。【解決手段】  削除キーが操作された場合には、このとき液晶モニタに再生表示されている画像ファイルのファイル名がアラーム設定テーブルに記憶されているか否かを判別する（ＳＢ６）。記憶されている場合には、この画像ファイルを削除すると、時刻報知処理において、アラーム画像を表示させることが不可能となる。したがって、この場合には警告報知処理を実行する（ＳＢ７）。この警告報知処理によりユーザは、消去しようとした画像はアラーム時において表示される画像であって、これを削除すると、画像によるアラーム機能の発現が不可能となることを認識する。これを認識したユーザが再度の削除キーの操作を思いとどまると（ＳＢ８でＮＯ）、リターンする。したがって、削除を指定された画像ファイルは削除されることなく、データメモリに記録された状態に維持される。【選択図】      図６
2005175728.tif 000002
【特許請求の範囲】
【請求項１】
画像を記録する画像記録手段と、
この画像記録手段に記録されている画像を表示する画像表示手段と、
所望の時間を要求に応じて設定する時間設定手段と、
前記画像記録手段に記録されているとともに前記時間設定手段により設定される時間に前記画像表示手段に表示させるべき画像を示す画像情報を、要求に応じて設定する画像設定手段と、
前記時間設定手段により設定された時間が到来したか否かを判別する時間判別手段と、
この時間判別手段により設定時間が到来したと判別された場合、前記画像設定手段により設定されていた画像情報の示す画像を前記画像表示手段に表示させるアラーム制御手段と、
前記画像記録手段に記録されている画像から削除すべき画像を選択する選択手段と、
この選択手段により選択された画像が、前記画像設定手段により設定された画像情報の示す画像であるか否かを判別する画像判別手段と、
この画像判別手段により前記画像が前記画像情報の示す画像であると判別された場合、その旨を報知する報知手段と
を備えたことを特徴とする画像アラーム装置。
【請求項２】
画像を記録する画像記録手段と、
この画像記録手段に記録されている画像を表示する画像表示手段と、
所望の時間を要求に応じて設定する時間設定手段と、
前記画像記録手段に記録されているとともに前記時間設定手段により設定される時間に前記画像表示手段に表示させるべき画像を示す画像情報を、要求に応じて設定する画像設定手段と、
前記時間設定手段により設定された時間が到来したか否かを判別する時間判別手段と、
この時間判別手段により設定時間が到来したと判別された場合、前記画像設定手段により設定されていた画像情報の示す画像を前記画像表示手段に表示させるアラーム制御手段と、
前記画像設定手段により設定された画像情報が示す前記画像に対し、その削除を禁止するプロテクト処理を実行するプロテクト処理処理手段と
を備えたことを特徴とする画像アラーム装置。
【請求項３】
画像を記録する画像記録手段と、
この画像記録手段に記録されている画像を表示する画像表示手段と、
所望の時間を要求に応じて設定する時間設定手段と、
前記画像記録手段に記録されている画像をコピーして、前記時間設定手段により設定される時間に前記画像表示手段に表示させるべき画像として、要求に応じて設定する画像設定手段と、
前記時間設定手段により設定された時間が到来したか否かを判別する時間判別手段と、
この時間判別手段により設定時間が到来したと判別された場合、前記画像設定手段により設定されていたコピー画像を前記画像表示手段に表示させるアラーム制御手段と
を備えたことを特徴とする画像アラーム装置。
【請求項４】
画像を記録する画像記録手段と、
この画像記録手段に記録されている画像を表示する画像表示手段と、
所望の時間を要求に応じて設定する時間設定手段と、
前記画像記録手段に記録されているとともに前記時間設定手段により設定される時間に前記画像表示手段に表示させるべき画像を示す画像情報を、要求に応じて設定する画像設定手段と、
前記時間設定手段により設定された時間が到来したか否かを判別する時間判別手段と、
この時間判別手段により設定時間が到来したと判別された場合、前記画像設定手段により設定されていた画像情報の示す画像を前記画像表示手段に表示させるアラーム制御手段と、
前記画像記録手段に記録されている画像が、前記画像設定手段により設定された画像情報の示す画像であるか否かを判別する画像判別手段と、
この画像判別手段により前記画像が前記画像情報の示す画像であると判別された場合、前記画像記録手段に記録されている画像を再生する際に、その旨を報知する報知手段と
を備えたことを特徴とする画像アラーム装置。
【請求項５】
前記画像判別手段により前記画像が前記画像情報の示す画像であると判別された場合、当該画像の削除を禁止する削除禁止手段を更に備えたことを特徴とする請求項１又は４記載の画像アラーム装置。
【請求項６】
被写体像を撮像する撮像手段を更に備え、
前記画像記録手段は、この撮像手段により撮像された画像を記録することを特徴とする請求項１から５にいずれか記載の画像アラーム装置。
【請求項７】
前記撮像手段は、静止画を撮像する手段と動画を撮像する手段との少なくとも一方を含むことを特徴とする請求項６記載の画像アラーム装置。
【請求項８】
音声を記録する音声記録手段と、
この音声記録手段に記録されている音声を出力する音声出力手段と、
前記音声記録手段に記録されているとともに前記時間設定手段により設定される時間に前音声出力手段から出力させるべき音声を示す情報又はコピーした音声を、要求に応じて設定する音声設定手段とを更に備え、
前記アラーム制御手段は更に、前記時間判別手段により設定時間が到来したと判別された場合、前記音声設定手段により設定されていた情報が示す音声又はコピーした音声を前記音声出力手段に出力させることを特徴とする請求項１から７にいずれか記載の画像アラーム装置。
【請求項９】
画像を記録する画像記録手段と、この画像記録手段に記録されている画像を表示する画像表示手段と、所望の時間を要求に応じて設定する時間設定手段と、前記画像記録手段に記録されているとともに前記時間設定手段により設定される時間に前記画像表示手段に表示させるべき画像を示す画像情報を、要求に応じて設定する画像設定手段と、前記時間設定手段により設定された時間が到来したか否かを判別する時間判別手段と、この時間判別手段により設定時間が到来したと判別された場合、前記画像設定手段により設定されていた画像情報の示す画像を前記画像表示手段に表示させるアラーム制御手段とを備える画像アラーム装置における画像誤削除防止方法であって、
前記画像記録手段に記録されている画像から削除すべき画像を選択する選択工程と、
この選択工程により選択された画像が、前記画像設定手段により設定された画像情報の示す画像であるか否かを判別する画像判別工程と、
この画像判別工程により前記画像が前記画像情報の示す画像であると判別された場合、その旨を報知する報知工程と
を含むことを特徴とする画像誤削除防止方法。
【請求項１０】
画像を記録する画像記録手段と、この画像記録手段に記録されている画像を表示する画像表示手段と、所望の時間を要求に応じて設定する時間設定手段と、前記画像記録手段に記録されているとともに前記時間設定手段により設定される時間に前記画像表示手段に表示させるべき画像を示す画像情報を、要求に応じて設定する画像設定手段と、前記時間設定手段により設定された時間が到来したか否かを判別する時間判別手段と、この時間判別手段により設定時間が到来したと判別された場合、前記画像設定手段により設定されていた画像情報の示す画像を前記画像表示手段に表示させるアラーム制御手段とを備える画像アラーム装置における画像誤削除防止方法であって、
前記画像設定手段により設定された画像情報が示す前記画像に対し、その削除を禁止するプロテクト処理を実行するプロテクト処理工程を含むことを特徴とする画像誤削除防止方法。
【請求項１１】
画像を記録する画像記録手段と、この画像記録手段に記録されている画像を表示する画像表示手段と、所望の時間を要求に応じて設定する時間設定手段とを備える画像アラーム装置における画像誤削除防止方法であって、
前記画像記録手段に記録されている画像をコピーして、前記時間設定手段により設定される時間に前記画像表示手段に表示させるべき画像として、要求に応じて設定する画像設定工程と、
前記時間設定手段により設定された時間が到来したか否かを判別する時間判別工程と、この時間判別工程により設定時間が到来したと判別された場合、前記画像設定手段により設定されていたコピー画像を前記画像表示手段に表示させるアラーム制御工程と
を含むことを特徴とする画像誤削除防止方法。
【請求項１２】
画像を記録する画像記録手段と、この画像記録手段に記録されている画像を表示する画像表示手段と、所望の時間を要求に応じて設定する時間設定手段と、前記画像記録手段に記録されているとともに前記時間設定手段により設定される時間に前記画像表示手段に表示させるべき画像を示す画像情報を、要求に応じて設定する画像設定手段と、前記時間設定手段により設定された時間が到来したか否かを判別する時間判別手段と、この時間判別手段により設定時間が到来したと判別された場合、前記画像設定手段により設定されていた画像情報の示す画像を前記画像表示手段に表示させるアラーム制御手段とを備える画像アラーム装置における画像誤削除防止方法であって、
前記画像記録手段に記録されている画像が前記画像設定手段により設定された画像情報の示す画像であるか否かを判別する画像判別工程と、
この画像判別手段により前記画像が前記画像情報の示す画像であると判別された場合、前記画像記録手段に記録されている画像を再生する際に、その旨を報知する報知工程と
を含むことを特徴とする画像誤削除防止方法。
【請求項１３】
画像を記録する画像記録手段と、この画像記録手段に記録されている画像を表示する画像表示手段と、前記画像記録手段に記録されている画像から削除すべき画像を選択する選択手段とを備える画像アラーム装置が有するコンピュータを、
所望の時間を要求に応じて設定する時間設定手段と、
前記画像記録手段に記録されているとともに前記時間設定手段により設定される時間に前記画像表示手段に表示させるべき画像を示す画像情報を、要求に応じて設定する画像設定手段と、
前記時間設定手段により設定された時間が到来したか否かを判別する時間判別手段と、
この時間判別手段により設定時間が到来したと判別された場合、前記画像設定手段により設定されていた画像情報の示す画像を前記画像表示手段に表示させるアラーム制御手段と、
前記選択手段により選択された画像が、前記画像設定手段により設定された画像情報の示す画像であるか否かを判別する画像判別手段と、
この画像判別手段により前記画像が前記画像情報の示す画像であると判別された場合、その旨を報知させる報知制御手段と
して機能させることを特徴とする画像誤削除防止プログラム。
【請求項１４】
画像を記録する画像記録手段と、この画像記録手段に記録されている画像を表示する画像表示手段とを備える画像アラーム装置が有するコンピュータを、
所望の時間を要求に応じて設定する時間設定手段と、
前記画像記録手段に記録されているとともに前記時間設定手段により設定される時間に前記画像表示手段に表示させるべき画像を示す画像情報を、要求に応じて設定する画像設定手段と、
前記時間設定手段により設定された時間が到来したか否かを判別する時間判別手段と、
この時間判別手段により設定時間が到来したと判別された場合、前記画像設定手段により設定されていた画像情報の示す画像を前記画像表示手段に表示させるアラーム制御手段と、
前記画像設定手段により設定された画像情報が示す前記画像に対し、その削除を禁止するプロテクト処理を実行するプロテクト処理手段と
して機能させることを特徴とする画像誤削除防止プログラム。
【請求項１５】
画像を記録する画像記録手段と、この画像記録手段に記録されている画像を表示する画像表示手段とを備える画像アラーム装置が有するコンピュータを、
所望の時間を要求に応じて設定する時間設定手段と、
前記画像記録手段に記録されている画像をコピーして、前記時間設定手段により設定される時間に前記画像表示手段に表示させるべき画像として、要求に応じて設定する画像設定手段と、
前記時間設定手段により設定された時間が到来したか否かを判別する時間判別手段と、
この時間判別手段により設定時間が到来したと判別された場合、前記画像設定手段により設定されていたコピー画像を前記画像表示手段に表示させるアラーム制御手段と
して機能させることを特徴とする画像誤削除防止プログラム。
【請求項１６】
画像を記録する画像記録手段と、この画像記録手段に記録されている画像を表示する画像表示手段とを備える画像アラーム装置が有するコンピュータを、
所望の時間を要求に応じて設定する時間設定手段と、
前記画像記録手段に記録されているとともに前記時間設定手段により設定される時間に前記画像表示手段に表示させるべき画像を示す画像情報を、要求に応じて設定する画像設定手段と、
前記時間設定手段により設定された時間が到来したか否かを判別する時間判別手段と、
この時間判別手段により設定時間が到来したと判別された場合、前記画像設定手段により設定されていた画像情報の示す画像を前記画像表示手段に表示させるアラーム制御手段と、
前記画像記録手段に記録されている画像が前記画像設定手段により設定された画像情報の示す画像であるか否かを判別する画像判別手段と、
この画像判別手段により前記画像が前記画像情報の示す画像であると判別された場合、前記画像記録手段に記録されている画像を再生する際に、その旨を報知する報知手段と
して機能させることを特徴とする画像誤削除防止プログラム。
【発明の詳細な説明】
【技術分野】
【０００１】
本発明は、設定時間に画像を表示してアラームを行う画像アラーム装置、この画像アラーム装置における画像誤削除防止方法、及び画像アラーム装置のコンピュータに用いる画像誤削除防止プログラムに関する。
【背景技術】
【０００２】
従来、画像を表示してアラームを行う画像アラーム装置として、下記特許文献１に記載のものが公知である。この画像アラーム装置は、液晶モニタを備え、撮影操作によって記録した画像を表示可能な画像表示機能を有するデジタルカメラに、アラーム機能を付加したものである。アラーム音の発生時刻を設定する際に、予め撮像してメモリに記録されているいずれかの画像を選択することができ、選択すると当該画像を示す画像番号と設定時刻とが対応して記憶される。そして、設定時刻になると、記憶されている画像番号が示す画像がメモリから読み出されて、モニタに表示され、ユーザはモニタに表示された画像を視認することにより、設定時刻の到来を認識することができるものである。
【特許文献１】特開２０００−１５２０５０号公報
【発明の開示】
【発明が解決しようとする課題】
【０００３】
しかしながら、画像が記録されるメモリには容量的な限界があることから、ユーザにおいて不要となった画像は削除し、必要な画像のみを残存させる画像整理が行われる。特に、デジタルカメラのように新たな画像を容易に記録することができる機器のメモリの場合、画像整理が頻繁かつ必要的に行われる。このため、誤って設定時刻と対応して記憶させた画像番号の画像を削除してしまう事態が発生し、これにより設定時刻となってもメモリから画像番号が示す画像を読み出すことが不可能となる。その結果、設定時刻となっても当該画像がモニタに表示されず、画像によるアラーム機能の発現も不可能となってしまう。
【０００４】
本発明は、かかる従来の課題に鑑みてなされたものであり、予め設定された画像によるアラーム機能を確実に発現させる画像アラーム装置、画像アラーム装置における画像誤削除防止方法及び画像誤削除防止プログラムを提供することを目的とする。
【課題を解決するための手段】
【０００５】
前記課題を解決するために請求項１記載の発明に係る画像アラーム装置にあっては、画像を記録する画像記録手段と、この画像記録手段に記録されている画像を表示する画像表示手段と、所望の時間を要求に応じて設定する時間設定手段と、前記画像記録手段に記録されているとともに前記時間設定手段により設定される時間に前記画像表示手段に表示させるべき画像を示す画像情報を、要求に応じて設定する画像設定手段と、前記時間設定手段により設定された時間が到来したか否かを判別する時間判別手段と、この時間判別手段により設定時間が到来したと判別された場合、前記画像設定手段により設定されていた画像情報の示す画像を前記画像表示手段に表示させるアラーム制御手段と、前記画像記録手段に記録されている画像から削除すべき画像を選択する選択手段と、この選択手段により選択された画像が、前記画像設定手段により設定された画像情報の示す画像であるか否かを判別する画像判別手段と、この画像判別手段により前記画像が前記画像情報の示す画像であると判別された場合、その旨を報知する報知手段とを備える。
【０００６】
したがって、画像記録手段に記録されている画像を整理すべく、選択手段により画像記録手段に記録されている画像から削除対象とする画像を選択すると、画像判別手段がこの選択された画像が画像設定手段により設定された画像情報の示す画像であるか否かを判別する。この画像判別手段による判別の結果、削除対象とされた画像が画像情報の示す画像、つまり時間設定手段により設定された時間に画像表示手段に表示させるべき画像と判別されると、報知手段によりその旨が報知される。
【０００７】
したがって、ユーザは、報知手段による報知によって、選択した画像はアラーム時において表示される画像であって、これを削除すると、画像によるアラーム機能の発現が不可能となることを認識することができる。よって、ユーザに対し当該画像の画像記録手段からの削除を思いとどまらせることができ、その結果、アラームに必要な画像の誤削除を防止して、予め設定された画像によるアラーム機能を確実に発現させることができる。
【０００８】
また、請求項２記載の発明に係る画像アラーム装置にあっては、画像を記録する画像記録手段と、この画像記録手段に記録されている画像を表示する画像表示手段と、所望の時間を要求に応じて設定する時間設定手段と、前記画像記録手段に記録されているとともに前記時間設定手段により設定される時間に前記画像表示手段に表示させるべき画像を示す画像情報を、要求に応じて設定する画像設定手段と、前記時間設定手段により設定された時間が到来したか否かを判別する時間判別手段と、この時間判別手段により設定時間が到来したと判別された場合、前記画像設定手段により設定されていた画像情報の示す画像を前記画像表示手段に表示させるアラーム制御手段と、前記画像設定手段により設定された画像情報が示す前記画像に対し、その削除を禁止するプロテクト処理を実行するプロテクト処理処理手段とを備える。
【０００９】
したがって、画像記録手段に記録されている画像を整理すべく、画像記録手段に記録されている画像の削除を行った際、それが画像設定手段により設定された画像情報が示す画像であると、当該画像には予めプロテクト処理がなされていることから、その削除は禁止される。よって、アラームに必要な画像の誤削除を防止して、予め設定された画像によるアラーム機能を確実に発現させることができる。
【００１０】
また、請求項３記載の発明に係る画像アラーム装置にあっては、画像を記録する画像記録手段と、この画像記録手段に記録されている画像を表示する画像表示手段と、所望の時間を要求に応じて設定する時間設定手段と、前記画像記録手段に記録されている画像をコピーして、前記時間設定手段により設定される時間に前記画像表示手段に表示させるべき画像として、要求に応じて設定する画像設定手段と、前記時間設定手段により設定された時間が到来したか否かを判別する時間判別手段と、この時間判別手段により設定時間が到来したと判別された場合、前記画像設定手段により設定されていたコピー画像を前記画像表示手段に表示させるアラーム制御手段とを備える。
【００１１】
したがって、設定時間が到来するとアラーム制御手段は、画像設定手段により設定されているコピー画像、つまり画像記録手段に記録されている画像のコピー画像を画像表示手段に表示させる。よって、画像記録手段に記録されている画像を整理した際に、誤ってアラーム時に表示させる画像として設定した画像を削除しても、これにより左右されることなく、予め設定された画像によるアラーム機能を確実に発現させることができる。
【００１２】
また、請求項４記載の発明に係る画像アラーム装置にあっては、画像を記録する画像記録手段と、この画像記録手段に記録されている画像を表示する画像表示手段と、所望の時間を要求に応じて設定する時間設定手段と、前記画像記録手段に記録されているとともに前記時間設定手段により設定される時間に前記画像表示手段に表示させるべき画像を示す画像情報を、要求に応じて設定する画像設定手段と、前記時間設定手段により設定された時間が到来したか否かを判別する時間判別手段と、この時間判別手段により設定時間が到来したと判別された場合、前記画像設定手段により設定されていた画像情報の示す画像を前記画像表示手段に表示させるアラーム制御手段と、前記画像記録手段に記録されている画像が、前記画像設定手段により設定された画像情報の示す画像であるか否かを判別する画像判別手段と、この画像判別手段により前記画像が前記画像情報の示す画像であると判別された場合、前記画像記録手段に記録されている画像を再生する際に、その旨を報知する報知手段とを備える。
【００１３】
したがって、画像記録手段に記録されている画像を整理する際に、画像記録手段に記録されている画像から削除対象とする画像を選択すべく、画像記録手段に記録されている画像を再生すると、当該再生された画像が画像設定手段により設定された画像情報の示す画像である場合には、その旨が報知される。よって、ユーザは、その旨の報知により、当該表示された画像はアラーム時において表示される画像であって、これを削除すると、画像によるアラーム機能の発現が不可能となることを認識することができる。よって、ユーザによる当該画像の画像記録手段からの削除を未然に防止することができ、その結果、予め設定された画像によるアラーム機能を確実に発現させることができる。
【００１４】
また、請求項５記載の発明に係る画像アラーム装置にあっては、前記画像判別手段により前記画像が前記画像情報の示す画像であると判別された場合、当該画像の削除を禁止する削除禁止手段を更に備える。したがって、当該画像の画像記録手段からの削除が確実に防止され、予め設定された画像によるアラーム機能の発現がより確実に担保される。
【００１５】
また、請求項６記載の発明に係る画像アラーム装置にあっては、被写体像を撮像する撮像手段を更に備え、前記画像記録手段は、この撮像手段により撮像された画像を記録する。このように、撮像手段により撮像された画像を画像記録手段に記録する機能を有する場合、新たな画像を容易に記録することができることから、画像整理が頻繁かつ必要的に行われ、誤削除の発生率も高くなる。しかし、前述のようにアラームに必要な画像の誤削除が防止されることにより、誤削除の発生を飛躍的に低下させて、撮像した画像によるアラーム機能を確実に発現させることができる。
【００１６】
また、請求項７記載の発明に係る画像アラーム装置にあっては、前記撮像手段は、静止画を撮像する手段と動画を撮像する手段との少なくとも一方を含む。したがって、アラーム時に表示させる画像が静止画である場合のみならず、動画である場合にも誤削除が未然に防止され、撮像した静止画あるいは動画によるアラーム機能を確実に発現させることができる。
【００１７】
また、請求項８記載の発明に係る画像アラーム装置にあっては、音声を記録する音声記録手段と、この音声記録手段に記録されている音声を出力する音声出力手段と、前記音声記録手段に記録されているとともに前記時間設定手段により設定される時間に前音声出力手段から出力させるべき音声を示す情報又はコピーした音声を、要求に応じて設定する音声設定手段とを更に備え、前記アラーム制御手段は更に、前記時間判別手段により設定時間が到来したと判別された場合、前記音声設定手段により設定されていた情報が示す音声又はコピーした音声を前記音声出力手段に出力させる。したがって、音声記録手段に記録されている音声を整理した際に、誤ってアラーム時に出力させる音声として設定した音声の削除が未然に防止され、あるいは、誤ってアラーム時に出力させる音声として設定した音声を削除しても、これにより左右されることなく、予め設定された音声をも伴うアラーム機能を確実に発現させることができる。
【００１８】
また、請求項９記載の発明にあっては、画像を記録する画像記録手段と、この画像記録手段に記録されている画像を表示する画像表示手段と、所望の時間を要求に応じて設定する時間設定手段と、前記画像記録手段に記録されているとともに前記時間設定手段により設定される時間に前記画像表示手段に表示させるべき画像を示す画像情報を、要求に応じて設定する画像設定手段と、前記時間設定手段により設定された時間が到来したか否かを判別する時間判別手段と、この時間判別手段により設定時間が到来したと判別された場合、前記画像設定手段により設定されていた画像情報の示す画像を前記画像表示手段に表示させるアラーム制御手段とを備える画像アラーム装置における画像誤削除防止方法であって、前記画像記録手段に記録されている画像から削除すべき画像を選択する選択工程と、この選択工程により選択された画像が、前記画像設定手段により設定された画像情報の示す画像であるか否かを判別する画像判別工程と、この画像判別工程により前記画像が前記画像情報の示す画像であると判別された場合、その旨を報知する報知工程とを含む。したがって、記載した工程に従って処理を実行することにより、請求項１記載の発明と同様の作用効果を奏する。
【００１９】
また、請求項１０記載の発明にあっては、画像を記録する画像記録手段と、この画像記録手段に記録されている画像を表示する画像表示手段と、所望の時間を要求に応じて設定する時間設定手段と、前記画像記録手段に記録されているとともに前記時間設定手段により設定される時間に前記画像表示手段に表示させるべき画像を示す画像情報を、要求に応じて設定する画像設定手段と、前記時間設定手段により設定された時間が到来したか否かを判別する時間判別手段と、この時間判別手段により設定時間が到来したと判別された場合、前記画像設定手段により設定されていた画像情報の示す画像を前記画像表示手段に表示させるアラーム制御手段とを備える画像アラーム装置における画像誤削除防止方法であって、前記画像設定手段により設定された画像情報が示す前記画像に対し、その削除を禁止するプロテクト処理を実行するプロテクト処理工程を含む。したがって、記載した工程に従って処理を実行することにより、請求項２記載の発明と同様の作用効果を奏する。
【００２０】
また、請求項１１記載の発明にあっては、画像を記録する画像記録手段と、この画像記録手段に記録されている画像を表示する画像表示手段と、所望の時間を要求に応じて設定する時間設定手段とを備える画像アラーム装置における画像誤削除防止方法であって、前記画像記録手段に記録されている画像をコピーして、前記時間設定手段により設定される時間に前記画像表示手段に表示させるべき画像として、要求に応じて設定する画像設定工程と、前記時間設定手段により設定された時間が到来したか否かを判別する時間判別工程と、この時間判別工程により設定時間が到来したと判別された場合、前記画像設定手段により設定されていたコピー画像を前記画像表示手段に表示させるアラーム制御工程とを含む。したがって、記載した工程に従って処理を実行することにより、請求項３記載の発明と同様の作用効果を奏する。
【００２１】
また、請求項１２記載の発明にあっては、画像を記録する画像記録手段と、この画像記録手段に記録されている画像を表示する画像表示手段と、所望の時間を要求に応じて設定する時間設定手段と、前記画像記録手段に記録されているとともに前記時間設定手段により設定される時間に前記画像表示手段に表示させるべき画像を示す画像情報を、要求に応じて設定する画像設定手段と、前記時間設定手段により設定された時間が到来したか否かを判別する時間判別手段と、この時間判別手段により設定時間が到来したと判別された場合、前記画像設定手段により設定されていた画像情報の示す画像を前記画像表示手段に表示させるアラーム制御手段とを備える画像アラーム装置における画像誤削除防止方法であって、前記画像記録手段に記録されている画像が前記画像設定手段により設定された画像情報の示す画像であるか否かを判別する画像判別工程と、この画像判別手段により前記画像が前記画像情報の示す画像であると判別された場合、前記画像記録手段に記録されている画像を再生する際に、その旨を報知する報知工程とを含む。したがって、記載した工程に従って処理を実行することにより、請求項４記載の発明と同様の作用効果を奏する。
【００２２】
また、請求項１３記載の発明に係る画像誤削除防止プログラムにあっては、画像を記録する画像記録手段と、この画像記録手段に記録されている画像を表示する画像表示手段と、前記画像記録手段に記録されている画像から削除すべき画像を選択する選択手段とを備える画像アラーム装置が有するコンピュータを、所望の時間を要求に応じて設定する時間設定手段と、前記画像記録手段に記録されているとともに前記時間設定手段により設定される時間に前記画像表示手段に表示させるべき画像を示す画像情報を、要求に応じて設定する画像設定手段と、前記時間設定手段により設定された時間が到来したか否かを判別する時間判別手段と、この時間判別手段により設定時間が到来したと判別された場合、前記画像設定手段により設定されていた画像情報の示す画像を前記画像表示手段に表示させるアラーム制御手段と、前記選択手段により選択された画像が、前記画像設定手段により設定された画像情報の示す画像であるか否かを判別する画像判別手段と、この画像判別手段により前記画像が前記画像情報の示す画像であると判別された場合、その旨を報知させる報知制御手段として機能させる。したがって、前記コンピュータがこのプログラムに従って処理を実行することにより、請求項１記載の発明と同様の作用効果を奏する。
【００２３】
また、請求項１４記載の発明に係る画像誤削除防止プログラムにあっては、画像を記録する画像記録手段と、この画像記録手段に記録されている画像を表示する画像表示手段とを備える画像アラーム装置が有するコンピュータを、所望の時間を要求に応じて設定する時間設定手段と、前記画像記録手段に記録されているとともに前記時間設定手段により設定される時間に前記画像表示手段に表示させるべき画像を示す画像情報を、要求に応じて設定する画像設定手段と、前記時間設定手段により設定された時間が到来したか否かを判別する時間判別手段と、この時間判別手段により設定時間が到来したと判別された場合、前記画像設定手段により設定されていた画像情報の示す画像を前記画像表示手段に表示させるアラーム制御手段と、前記画像設定手段により設定された画像情報が示す前記画像に対し、その削除を禁止するプロテクト処理を実行するプロテクト処理手段として機能させる。したがって、前記コンピュータがこのプログラムに従って処理を実行することにより、請求項２記載の発明と同様の作用効果を奏する。
【００２４】
また、請求項１５記載の発明に係る画像誤削除防止プログラムにあっては、画像を記録する画像記録手段と、この画像記録手段に記録されている画像を表示する画像表示手段とを備える画像アラーム装置が有するコンピュータを、所望の時間を要求に応じて設定する時間設定手段と、前記画像記録手段に記録されている画像をコピーして、前記時間設定手段により設定される時間に前記画像表示手段に表示させるべき画像として、要求に応じて設定する画像設定手段と、前記時間設定手段により設定された時間が到来したか否かを判別する時間判別手段と、この時間判別手段により設定時間が到来したと判別された場合、前記画像設定手段により設定されていたコピー画像を前記画像表示手段に表示させるアラーム制御手段として機能させる。したがって、前記コンピュータがこのプログラムに従って処理を実行することにより、請求項３記載の発明と同様の作用効果を奏する。
【００２５】
また、請求項１６記載の発明に係る画像誤削除防止プログラムにあっては、画像を記録する画像記録手段と、この画像記録手段に記録されている画像を表示する画像表示手段とを備える画像アラーム装置が有するコンピュータを、所望の時間を要求に応じて設定する時間設定手段と、前記画像記録手段に記録されているとともに前記時間設定手段により設定される時間に前記画像表示手段に表示させるべき画像を示す画像情報を、要求に応じて設定する画像設定手段と、前記時間設定手段により設定された時間が到来したか否かを判別する時間判別手段と、この時間判別手段により設定時間が到来したと判別された場合、前記画像設定手段により設定されていた画像情報の示す画像を前記画像表示手段に表示させるアラーム制御手段と、前記画像記録手段に記録されている画像が前記画像設定手段により設定された画像情報の示す画像であるか否かを判別する画像判別手段と、この画像判別手段により前記画像が前記画像情報の示す画像であると判別された場合、前記画像記録手段に記録されている画像を再生する際に、その旨を報知する報知手段として機能させる。したがって、前記コンピュータがこのプログラムに従って処理を実行することにより、請求項４記載の発明と同様の作用効果を奏する。
【発明の効果】
【００２６】
以上のように請求項１、９、１３に係る発明によれば、ユーザは、報知手段による報知によって、選択した画像はアラーム時において表示される画像であって、これを削除すると、画像によるアラーム機能の発現が不可能となることを認識することができる。よって、ユーザに対し当該画像の画像記録手段からの削除を思いとどまらせることができ、その結果、アラームに必要な画像の誤削除を防止して、予め設定された画像によるアラーム機能を確実に発現させることができる。
【００２７】
また、請求項２、１０、１４に係る発明によれば、画像記録手段に記録されている画像を整理すべく、画像記録手段に記録されている画像の削除を行おうとした際に、それが画像設定手段により設定された画像情報が示す画像であると、当該画像には予めプロテクト処理がなされていることから、その削除は禁止される。よって、アラームに必要な画像の誤削除を防止して、予め設定された画像によるアラーム機能を確実に発現させることができる。
【００２８】
また、請求項３、１１、１５に係る発明によれば、設定時間が到来するとアラーム制御手段は、画像設定手段により設定されているコピー画像、つまり画像記録手段に記録されている画像のコピー画像を画像表示手段に表示させる。よって、画像記録手段に記録されている画像を整理する際に、アラーム時に表示させる画像として設定した画像を削除しても、これにより左右されることなく、予め設定された画像によるアラーム機能を確実に発現させることができる。
【００２９】
また、請求項４、１２、１６に係る発明によれば、画像記録手段に記録されている画像を整理する際に、画像記録手段に記録されている画像を再生すると、当該再生された画像が画像設定手段により設定された画像情報の示す画像である場合には、その旨が報知される。したがって、ユーザは、その旨の報知により、当該表示された画像はアラーム時において表示される画像であって、これを削除すると、画像によるアラーム機能の発現が不可能となることを認識することができる。よって、ユーザによる当該画像の画像記録手段からの削除を未然に防止することができ、その結果、予め設定された画像によるアラーム機能を確実に発現させることができる。
【発明を実施するための最良の形態】
【００３０】
以下、本発明の実施の形態を図にしたがって説明する。
【００３１】
（第１の実施の形態）
【００３２】
図１は、本発明の各実施の形態に係るデジタルカメラがクレードルに装着された状態を示す外観斜視図である。デジタルカメラ１は予め設定した時刻の到来を報知するアラーム機能を有するものであるとともに、クレードル５１に装着されることにより内蔵する充電池への充電が行われ、また、クレードル５１を介して図示しないパーソナルコンピュータ（以下、ＰＣという。）へ画像データの転送が可能となっている。
【００３３】
デジタルカメラ１には、カメラ本体２の上面に電源キー３と、シャッターキー４とが配設され、カメラ本体２の背面に光学ファインダ５、記録（ＲＥＣ）モードと再生（ＰＬＡＹ）モードとを切り換えるモード切換スイッチ６、記録画像や各種の情報を表示するとともに電子ビューファインダとして機能する液晶モニタ７、メニュー画面を表示させるためのメニュー（ＭＥＮＵ）キー８、表示されたメニュー項目の選択や画像のインクリメントに使用するカーソルキー９、確定操作に使用するセットキー１０、記録された画像の削除に使用する削除キー１１が配設されている。カーソルキー９は、上下及び左右各部位で押下が可能なキーである。
【００３４】
デジタルカメラ１においては、記録モードの下位モードとして通常の静止画撮影モードに加え、通常の動画撮影モード、音声付き静止画撮影モード、音声付き動画撮影モードの各撮影モードが用意されており、カーソルキー９とセットキー１０の操作によって各撮影モードが選択可能となっている。音声付き静止画撮影モードは、シャッターキー４による撮影操作に応じて静止画像を記録するとともに、その時点から所定時間だけ周囲の音響や音声を録音し、それを静止画像に付加して記録するモードである。さらに記録モードの下位には各撮影モードとは別に録音モードが用意されており、録音モードの選択もカーソルキー９とセットキー１０の操作によって行われる。録音モードはカメラ本体２周囲の音響や音声を記録するためのモードである。なお、以下の説明においては、音響と音声の双方を含め単に音声という。
【００３５】
また、本実施形態のデジタルカメラ１には、静止画撮影モードや動画撮影モードにより予め記録されている静止画像や動画像に、任意の時点で録音された音声を後から付加する機能も設けられている。
【００３６】
一方、クレードル５１は、デジタルカメラ１を収容する本体５２の正面側に、デジタルカメラ１において、ＰＣへの画像ファイル等の転送を開始させるＵＳＢボタン５３、及び記録されている画像のスライド表示を開始させるＰＨＯＴＯボタン５４と、画像ファイルの転送中に点灯する第１のＬＥＤ５５、及び充電中に点灯する第２のＬＥＤ５６が配置された構成である。
【００３７】
図２は、デジタルカメラ１の電気的構成の概略を示すブロック図である。デジタルカメラ１は、カメラ本体２の図示しない正面側に配置された撮影レンズ１０の光軸後方に配置された撮像素子であるＣＣＤ１１を備えている。ＣＣＤ１１は、タイミング発生器（ＴＧ）１２、垂直ドライバ１３によって走査駆動され、一定周期で１画面分の撮像信号を出力する。
【００３８】
ＣＣＤ１１の出力信号は、アナログ信号の状態でＲＧＢの原色成分毎に適宜ゲイン調整された後に、サンプルホールド回路（Ｓ／Ｈ）１４でサンプルホールドされ、Ａ／Ｄ変換器１５でデジタルデータに変換されカラープロセス回路１６に送られる。カラープロセス回路１６は画像補間処理を含むカラープロセス処理により、デジタル値の輝度信号Ｙ及び色差信号Ｃｂ，Ｃｒを生成し、ＤＭＡ（Ｄｉｒｅｃｔ  Ｍｅｍｏｒｙ Ａｃｃｅｓｓ）コントローラ１７に出力する。
【００３９】
ＤＭＡコントローラ１７は輝度信号Ｙ及び色差信号Ｃｂ，Ｃｒを、カラープロセス回路１６からの複合同期信号、メモリ書込みイネーブル信号、及びクロック信号を用いて一度ＤＭＡコントローラ１７内部のバッファに書込み、ＤＲＡＭインタフェース（Ｉ／Ｆ）１８を介してＤＲＡＭ１９にＤＭＡ転送する。制御部２０は、前記輝度及び色差信号データ、つまり画像データのＤＲＡＭ１９へのＤＭＡ転送終了後に、その画像データをＤＲＡＭインタフェース１８を介してＤＲＡＭ１９から読み出し、ＶＲＡＭコントローラ２１を介してＶＲＡＭ２２に書き込む。
【００４０】
デジタルビデオエンコーダ２３は、前記画像データを、ＶＲＡＭコントローラ２１を介してＶＲＡＭ２２より定期的に読出し、これらのデータを元にビデオ信号を発生して表示部２４に出力する。表示部２４は、本発明における画像表示手段であって、前記液晶モニタ７とその駆動回路等により構成され、デジタルビデオエンコーダ２３からのビデオ信号に基づいた表示を行うことで、その時点でＶＲＡＭコントローラ２１から取り込まれている画像情報に基づくスルー画像を液晶モニタ７に表示する。
【００４１】
キー入力部２５は、前述したシャッターキー４〜削除キー１１等の各キーを含み、スルー画像が表示されている状態でシャッターキー４が操作されると、撮影開始用のトリガ信号を発生する。
【００４２】
記録モードによる静止画撮影時には、前記トリガ信号に応じて制御部２０がＣＣＤ１１からのＤＲＡＭ１９への経路を停止し、ＤＲＡＭ１９に書込まれている１フレーム分の画像データを、ＤＲＡＭインタフェース１８を介して読み出し、ＪＰＥＧ回路２６に送る。ＪＰＥＧ回路２６では送られた画像データを圧縮符号化し、圧縮された画像データは制御部２０によって読み出され、静止画ファイルとして不揮発性メモリであるフラッシュメモリ２７に設けられているデータメモリ２７０に記録される。なお、記録モードによる動画撮影時には、ＤＲＡＭ１９からの画像データの読込み、及び画像データの圧縮符号化が連続して行われ、圧縮された複数フレーム分の画像データが、動画ファイルとしてデータメモリ２７０に記録される。
【００４３】
データメモリ２７０に記録された画像（静止画又は動画）ファイルは、再生モードにおいて、前記カーソルキー９等による選択操作に応じてＪＰＥＧ回路２６に読み込まれ、そこで画像データに復号された後、ＶＲＡＭコントローラ２１を介してＶＲＡＭ２２へ送られ、表示部２４で表示される。
【００４４】
音声処理回路２８は、カメラ本体２に内蔵されたマイク２９、及びスピーカー３０が接続されており、音声付き静止画撮影モードや、音声付き動画撮影モード、録音モードの設定時にマイク２９に入力した音声をデジタル信号に変換する。変換された音声データは、制御部２０により所定のフォーマットの音声ファイルに圧縮されるとともに、音声付き静止画撮影モードや、音声付き動画撮影モードでは、前述したように生成された静止画ファイル又は動画ファイルと関連付けられ、また録音モードでは関連付けを行われることなくデータメモリ２７０に記録される。なお、本実施の形態のデジタルカメラ１においては、静止画ファイル又は動画ファイルと音声ファイルとの関連付けは、両者のファイル名を部分的に一致させることにより行われる。
【００４５】
データメモリ２７０に記録された音声ファイルのうち画像（静止画又は動画）ファイルに関連付けられているものは、再生モードでの対応する画像の再生と並行して、また録音モードで記録された音声ファイルは、再生モードでカーソルキー９等による選択操作に応じて、それぞれ音声処理回路２８に読み込まれ、そこで音声データに復号された後、スピーカー３０から音声として出力される。なお、音声処理回路２８とスピーカー３０とが本発明の音声出力手段として機能する。
【００４６】
ＵＳＢインターフェース３１は、カメラ本体２の底面に設けられているＵＳＢコネクタ３２を介して、データメモリ２７０に記録されている画像ファイル（静止画ファイルと動画ファイルとを総称して画像ファイルという。）や音声ファイルを前記クレードル５１へ出力し、またクレードル５１から供給される直流電源を充電制御部３３へ送る。充電制御部３３は、供給された直流電源の調整を行うとともに、制御部２０の指令に従い図示しない充電池への充電を行う。
【００４７】
また、制御部２０は、主としてＣＰＵ及びその周辺回路と、ＣＰＵの作業用メモリであるＲＡＭ、及びカレンダ機能を有する内蔵時計から構成されるマイクロコンピュータであり、フラッシュメモリ２７に確保されているプログラム領域に格納されているプログラムに基づき動作し、前述した各部の動作を制御する。そして、本実施の形態においては、制御部２０が本発明における時間設定手段、画像設定手段、アラーム制御手段、画像判別手段、プロテクト処理処理手段、表示制御手段、削除禁止手段、音声設定手段として機能する。
【００４８】
図３は、フラッシュメモリ２７に設けられているデータメモリ２７０の詳細を示す概念図である。このデータメモリ２７０には、レコード番号２７１毎に、画像ファイル名、画像ファイル、音声ファイル名、音声ファイルを各々格納する画像ファイル名領域２７２、画像ファイル領域２７３、音声ファイル名領域２７４、音声ファイル領域２７５が設けられている。
【００４９】
図４は、第１の実施の形態における前記アラーム設定テーブル３３の詳細を示す概念図である。このアラーム設定テーブル３３には、レコード番号３３１毎に、アラーム時刻、画像ファイル名、音声ファイル名を各々格納するアラーム時刻領域３３２、画像ファイル名領域３３３、音声ファイル名領域３３４が設けられている。
【００５０】
以上の構成に係る本実施の形態において、ユーザはデジタルカメラ１をクレードル５１から取り外して携帯し、撮像に際しては電源キー３をオンした後、モード切換スイッチ６により記録（ＲＥＣ）モードを設定する。そして、前記通常の静止画撮影モードで撮影を行った場合には、図３に示したようにデータメモリ２７０には、レコード番号（ＮＯ．）「３」のように、画像ファイル名「ｂｂｂｂｂｂ．ｊｐｇ」とその画像ファイル「静止画ｂ」とが記録されることとなる。また、通常の動画撮影モードで撮影を行った場合には、レコード番号（ＮＯ．）「４」のように、画像ファイル名「ｈｈｈｈｈｈ．ａｖｉ」とその画像ファイル「動画ｈ」とが記録されることとなる。
【００５１】
音声付き静止画撮影モードで撮影を行った場合には、レコード番号（ＮＯ．）「１」のように、画像ファイル名「ａａａａａａ．ｊｐｇ」とその画像ファイル「静止画ａ」、及び音声ファイル名「ａａａｑｑｑ．ｗａｖ」（静止画ファイルとファイル名を部分的に一致させることにより関連付けられている。）とその音声ファイル「音声ａ」とが記録されることとなる。音声付き動画撮影モードで撮影を行った場合には、レコード番号（ＮＯ．）「２」のように、画像ファイル名「ｆｆｆｆｆｆ．ａｖｉ」とその画像ファイル「動画ｆ」、及び音声ファイル名「ｆｆｆｑｑｑ．ｗａｖ」（動画画ファイルとファイル名を部分的に一致させることにより関連付けられている。）とその音声ファイル「音声ｆ」とが記録されることとなる。また、録音モードで録音を行った場合には、レコード番号（ＮＯ．）「５」「６」のように、音声ファイル名「ｒｒｒｒｒｒ．ｗａｖ」とその音声ファイル「音声ｒ」、音声ファイル名「ｑｑｑｑｑｑ．ｗａｖ」とその音声ファイル「音声ｑ」とが記録されることとなる。
【００５２】
次に、デジタルカメラ１のアラーム機能に関する動作について説明する。
【００５３】
図５は、ユーザーが、液晶モニタ７に表示されたメニュー画面から、アラーム時刻を追加（又は変更）するための「アラーム設定」を選択したときの制御部２０によるアラーム設定処理の内容を示すフローチャートである。
【００５４】
制御部２０は「アラーム設定」が選択されたことに伴い、液晶モニタ７にアラーム時刻入力画面を表示させ、ユーザーに所望するアラーム時刻を入力させる（ステップＳＡ１）。なお、アラーム時刻の入力は、画面上に表示した年月日と時刻とをキー操作によって変更することにより行う。アラーム時刻が入力されたら（ステップＳＡ２でＹＥＳ）、次に、画像の選択画面を表示し、入力されたアラーム時刻に液晶モニタ７に表示すべき画像（静止画又は動画）をユーザーに選択させる（ステップＳＡ３）。
【００５５】
ここで、ユーザーが画像の表示を希望せず画像の選択がなかったときには（ステップＳＡ４でＮＯ）、音声の選択画面を表示して、入力されたアラーム時刻に再生すべき音声をユーザーに選択させる（ステップＳＡ５）。そして、いずれかの音声が選択されたときには（ステップＳＡ６でＹＥＳ）、入力されたアラーム時刻と選択された音声のファイル名とをアラーム設定テーブル３３に対応させて記憶し、該アラーム設定テーブル３３を更新する（ステップＳＡ７）。すなわち、図４に示したアラーム設定テーブル３３を構成するアラーム時刻領域３３２、画像ファイル名領域３３３、音声ファイル名領域３３４に設定データを新たに記憶し、アラーム設定テーブル３３を更新する。この場合には、例えば図４に示したレコード番号（ＮＯ．）「４」のような設定データが新たに記憶される。また、ユーザーが音声の再生を希望せず音声の選択がなければ（ステップＳＡ６でＮＯ）、入力されたアラーム時刻のみを記憶し、前記アラーム設定テーブル３３を更新する（ステップＳＡ８）。
【００５６】
一方、ステップＳＡ４の判別結果がＹＥＳであって、ユーザーによっていずれかの画像が選択されたときには、選択された画像のファイルと関連付けられている音声ファイルが存在するか否かを確認することにより、選択された画像が音声付き画像であるか否かを確認する（ステップＳＡ９）。そして、音声付き画像であれば（ステップＳＡ９でＹＥＳ）、入力されたアラーム時刻と、選択された画像のファイル名とを対応させて記憶する（ステップＳＡ１０）。この場合には、例えば図４に示したレコード番号（ＮＯ．）「１」、「２」のような設定データが新たに記憶される。
【００５７】
また、選択された画像が音声付き画像でなかった場合には（ステップＳＡ９でＮＯ）、引き続き音声の選択画面を表示して、入力されたアラーム時刻に再生すべき音声をユーザーに選択させる（ステップＳＡ１１）。そして、いずれかの音声が選択されたときには（ステップＳＡ１２でＹＥＳ）、入力されたアラーム時刻と、選択された画像のファイル名と、選択された音声のファイル名とを記憶し、前記アラーム設定テーブル３３を更新する（ステップＳＡ１３）。この場合には、例えば図４に示したレコード番号（ＮＯ．）「３」のような設定データが新たに記憶される。また、音声が選択されなかったときには（ステップＳＡ１２でＮＯ）、前述したステップＳＡ１０へ進み、入力されたアラーム時刻と、選択された画像のファイル名とを対応させて記憶する。これによって、１回のアラーム設定処理を終了する。
【００５８】
なお、図示しないが、前述したアラーム時刻の入力に際しては、年月日とは別に「毎日」又は「毎週（決まった曜日）」といった設定が可能となっており、その場合には、年月日に代えてその識別データ（「毎日」の場合には"DAILY"、「毎曜日」の場合には、"SUN"〜"SAT"等）と時刻とがアラーム時刻データとして記憶される。
【００５９】
次に、デジタルカメラ１の画像ファイル削除機能に関する動作について説明する。
【００６０】
図６は、ユーザーが、モード切換スイッチ６を操作して、記録（ＲＥＣ）モードから再生（ＰＬＡＹ）モードに切り換えたときの制御部２０による再生モード処理の内容を示すフローチャートである。制御部２０は、画像ファイルのみ及び音声付き画像ファイルの再生を意味する「画像」と、音声ファイルのみからなるファイルの再生を意味する「音声」との選択画面を液晶モニタ７に表示する（ステップＳＢ１）。この選択画面からユーザが「画像」を選択すると（ステップＳＢ２で「画像」）、データメモリ２７０に記録されている所定の画像ファイル、例えばレコード番号２７１の値が最も小さい画像ファイルをＪＰＥＧ回路２６にて再生し液晶モニタ７に表示させる（ステップＳＢ３）。このとき、当該画像ファイルが音声付きである場合には、関連付けられている音声ファイルに基づく音声を音声処理回路２８において再生し、スピーカー３０から放音する。
【００６１】
引き続き、カーソルキー９の上部又は下部が押下されたか否かを判断し（ステップＳＢ４）、操作された場合にはステップＳＢ３に戻って、操作された方向に対応する次の画像ファイルを再生する。また、カーソルキー９が操作されない場合には、削除キー１１が操作されたか否かを判別する（ステップＳＢ５）。削除キー１１が操作された場合には、このとき液晶モニタ７に再生表示されている画像ファイルのファイル名がアラーム設定テーブル３３に記憶されているか否かを判別する（ステップＳＢ６）。当該画像ファイルのファイル名がアラーム設定テーブル３３に記憶されていない場合には、ステップＳＢ７及びステップＳＢ８の処理を行うことなく、ステップＳＢ９以降の処理を実行する。
【００６２】
しかし、当該画像ファイルのファイル名がアラーム設定テーブル３３に記憶されている場合には、この画像ファイルを削除すると、後述する図７の時刻報知処理において、アラーム画像を表示させることが不可能となる。したがって、この場合には警告報知処理を実行する（ステップＳＢ７）。ここで、警告報知処理とは、液晶モニタ７の再生表示されている画像の一部に「この画像はアラーム画像として登録されている画像です。削除するとアラーム画像の表示が不可能となります。」等の警告表示を行ったり、スピーカー３０から所定の警報音を発生させる等である。したがって、この警告報知処理によりユーザは、消去しようとした画像はアラーム時において表示される画像であって、これを削除すると、画像によるアラーム機能の発現が不可能となることを認識することができる。
【００６３】
そして、これを認識したユーザが再度の削除キー１１の操作を思いとどまると（ステップＳＢ８でＮＯ）、リターンする。したがって、削除を指定された画像ファイルは削除されることなく、データメモリ２７０に記録された状態に維持される。
【００６４】
他方、何らかの事情により、アラーム画像であってもデータメモリ２７０から削除したい場合には、ユーザは前記警告表示等を確認した上で再度削除キー１１を押下する。すると、ステップＳＢ８からステップＳＢ９に進む。また、前述のように、ステップＳＢ６での判断の結果、当該画像ファイルのファイル名がアラーム設定テーブル３３に記憶されていない場合にも、ステップＳＢ６からステップＳＢ９に進む。そして、このステップＳＢ９で削除指定された画像ファイルが音声付きであるか否かを判別する（ステップＳＢ９）。音声付きでない場合には、削除指定された画像ファイルのみをデータメモリ２７０から削除し（ステップＳＢ１０）、音声付きである場合には、削除指定された画像ファイル及びこれに関連付けられている音声ファイルを削除する（ステップＳＢ１１）。
【００６５】
一方、ステップＳＢ２での判別の結果、「音声」が選択された場合には、データメモリ２７０に記録されている所定の音声ファイル（画像と関連付けられてない音声ファイル）、例えばレコード番号２７１の値が最も小さい音声ファイルを再生してスピーカー３０から放音させる（ステップＳＢ１２）。引き続き、カーソルキー９の上部又は下部が押下されたか否かを判断し（ステップＳＢ１３）、操作された場合にはステップＳＢ１２に戻って、操作された方向に対応する次の音声ファイルを再生する。また、カーソルキー９が操作されない場合には、削除キー１１が操作されたか否かを判別する（ステップＳＢ１４）。削除キー１１が操作された場合には、このときスピーカー３０から放音されている音声ファイルのファイル名がアラーム設定テーブル３３に記憶されているか否かを判別する（ステップＳＢ１５）。当該音声ファイルのファイル名がアラーム設定テーブル３３に記憶されていない場合には、ステップＳＢ１６及びステップＳＢ１７の処理を行うことなく、ステップＳＢ１８で当該音声ファイルをデータメモリ２７０から削除する（ステップＳＢ１８）。
【００６６】
しかし、当該音声ファイルのファイル名がアラーム設定テーブル３３に記憶されている場合には、この音声ファイルを削除すると、後述する図７の時刻報知処理において、当該音声ファイルに基づくアラーム音声を発生させることが不可能となる。したがって、この場合には警告報知処理を実行する（ステップＳＢ１６）。ここで、警告報知処理とは、液晶モニタ７に「この音声はアラーム音声として登録されている音声です。削除するとこのアラーム音声の発生が不可能となります。」等の警告表示を行ったり、スピーカー３０から所定の警報音を発生させる等である。したがって、この警告報知処理によりユーザは、消去しようとした音声はアラーム時において表示される音声であって、これを削除すると、音声によるアラーム機能の発現が不可能となることを認識することができる。
【００６７】
そして、これを認識したユーザが再度の削除キー１１の操作を思いとどまると（ステップＳＢ１７でＮＯ）、リターンする。したがって、削除を指定された音声ファイルは削除されることなく、データメモリ２７０に記録された状態に維持される。しかし、何らかの事情により、アラーム音声であってもデータメモリ２７０から削除したい場合には、ユーザは前記警告表示等を確認した上で再度削除キー１１を押下する。すると、ステップＳＢ１７からステップＳＢ１８に進み、削除指定された音声ファイルをデータメモリ２７０から削除する。
【００６８】
図７は、データメモリ２７０及びアラーム設定テーブル３３に前述した１又は複数の設定データが記憶されており、かつアラーム機能がオン状態にあるときの制御部２０による時刻報知処理の内容を示すフローチャートである。制御部２０は電源のオン／オフ状態に関係なく現在時刻を更新しており、アラーム設定テーブル３３に設定データとして記憶されているアラーム時刻（日付等を含む）が到来したか否かを逐次判別する（ステップＳＣ１）。やがて、いずれかのアラーム時刻が到来したら（ステップＳＣ１でＹＥＳ）、到来したアラーム時刻に関する設定データをアラーム設定テーブル３３から読み出す（ステップＳＣ２）。
【００６９】
引き続き、読み出した設定データに画像ファイル名が記録されているか否か、すなわち表示すべき画像が設定されているか否かを判別する（ステップＳＣ３）。そして、画像が設定されており、かつそれが音声付き画像（静止画又は動画）であったときには（ステップＳＣ３，ＳＣ４が共にＹＥＳ）、その画像ファイル及び、それと関連して記憶されている（ファイル名の所定部分が一致する）音声ファイルをデータメモリ２７０から読み出し、それらをＪＰＥＧ回路２６及び音声処理回路２８において再生し、液晶モニタ７に画像を表示させるとともに、スピーカー３０から音声を出力させる（ステップＳＣ５）。これによりアラーム時刻の到来をユーザーに知らせる。
【００７０】
また、アラーム設定テーブル３３に設定されていた画像が音声付き画像（静止画又は動画）ではないが、読み出した設定データに音声ファイル名が記録されている、すなわち出力すべき音声が設定されていたときには（ステップＳＣ４でＮＯ，ＳＣ６がＹＥＳ）、それらの画像ファイルと音声ファイルとをデータメモリ２７０から読み出して、画像を表示させるとともに音声を出力させる（ステップＳＣ７）。また、アラーム設定テーブル３３に設定されていた画像が音声付き画像（静止画又は動画）でなく、かつ再生して出力すべき音声が設定されていなかったときには（ステップＳＣ４，ＳＣ６が共にＮＯ）、設定されていた画像を表示させるとともに、所定のアラーム音を出力させる（ステップＳＣ８）。
【００７１】
さらに、ステップＳＣ２で読み出した設定データにおいて表示すべき画像は設定されていないが、出力すべき音声が設定されていたときには（ステップＳＣ３でＮＯ，ＳＣ９がＹＥＳ）、その音声を再生して出力させる（ステップＳＣ１０）。また、表示すべき画像、及び出力すべき音声のどちらも設定されていないときには（ステップＳＣ３，ＳＣ９が共にＮＯ）、所定のアラーム音を放音させる（ステップＳＣ１１）。
【００７２】
そして、制御部２０は、いずれかの報知動作を終了したら、ステップＳＣ２で読み出した設定データをアラーム設定テーブル３３から消去する（ステップＳＣ１２）。但し、読み出した設定データのアラーム時刻に年月日ではなく前述した識別データが記録されている場合にあってはこの処理をスキップする。そして、これ以後においても、アラーム設定テーブル３３に設定データが存在している間、以上説明した報知処理を繰り返し行う。
【００７３】
（第２の実施の形態）
【００７４】
図８は、本発明の第２の実施の形態において、ユーザーが、液晶モニタ７に表示されたメニュー画面から、アラーム時刻を追加（又は変更）するための「アラーム設定」を選択したときの制御部２０によるアラーム設定処理の内容を示すフローチャートである。このフローチャートにおいて、ステップＳＡ１〜ステップＳＡ１３は、前述した第１の実施の形態における図５のフローチャートと同様であり、その処理内容は前述したとおりである。そして、本実施の形態においては、ステップＳＡ１４のみが加えられている。このステップＳＡ１４では、ステップＳＡ７、ＳＡ１０、ＳＡ１３でアラーム設定テーブル３３に記憶させたファイル名に対応するデータメモリ２７０の画像ファイル及び音声ファイルに対し、その削除を禁止するプロテクト処理を実行する。
【００７５】
すなわち、前述のように、ステップＳＡ７では、例えば図４に示したレコード番号（ＮＯ．）「４」のように、入力されたアラーム時刻と選択された音声のファイル名「ｒｒｒｒｒｒ．ｗａｖ」とをデータメモリ２７０に対応させて記憶する。したがってこの場合、ステップＳＡ１４の処理により、図３に示したデータメモリ２７０において、音声ファイル名「ｒｒｒｒｒｒ．ｗａｖ」に対応する音声ファイル「音声ｒ」をプロテクト設定する。
【００７６】
また、ステップＳＡ１０では、例えば図４に示したレコード番号（ＮＯ．）「１」、「２」のように、入力された各アラーム時刻と、選択された画像のファイル名「ａａａａａａ．ｊｐｇ」「ｆｆｆｆｆｆ．ａｖｉ」とを対応させて記憶する。したがってこの場合、ステップＳＡ１４の処理により、図３に示したデータメモリ２７０において、画像ファイル名「ａａａａａａ．ｊｐｇ」に対応する画像ファイル「静止画ａ」と、画像ファイル名「ｆｆｆｆｆｆ．ａｖｉ」に対応する画像ファイル「動画ｆ」とをプロテクト設定する。
【００７７】
また、ステップＳＡ１３では、例えば図４に示したレコード番号（ＮＯ．）「３」のように、入力されたアラーム時刻と、選択された画像のファイル名「ｂｂｂｂｂｂ．ｊｐｇ」と、選択された音声のファイル名「ｑｑｑｑｑｑ．ｗａｖ」とを記憶する。したがってこの場合、ステップＳＡ１４の処理により、図３に示したデータメモリ２７０において、画像ファイル名「ｂｂｂｂｂｂ．ｊｐｇ」に対応する画像ファイル「静止画ｂ」と、音声ファイル名「ｑｑｑｑｑｑ．ｗａｖ」に対応する音声ファイル「音声ｑ」とをプロテクト設定する。
【００７８】
図９は、第２の実施の形態においてユーザーが、モード切換スイッチ６を操作して、記録（ＲＥＣ）モードから再生（ＰＬＡＹ）モードに切り換えたときの制御部２０による再生モード処理の内容を示すフローチャートである。制御部２０は、画像ファイルのみ及び音声付き画像ファイルの再生を意味する「画像」と、音声ファイルのみからなるファイルの再生を意味する「音声」との選択画面を液晶モニタ７に表示する（ステップＳＤ１）。この選択画面からユーザが「画像」を選択すると（ステップＳＤ２で「画像」）、所定の画像ファイルに基づく画像、例えばレコード番号２７１の値が最も小さい画像ファイルに基づく画像をＪＰＥＧ回路２６にて再生し液晶モニタ７に表示させる（ステップＳＤ３）。このとき、当該画像ファイルが音声付きである場合には、関連付けられている音声ファイルに基づく音声を音声処理回路２８において再生し、スピーカー３０から放音する。
【００７９】
引き続き、カーソルキー９の上部又は下部が押下されたか否かを判断し（ステップＳＤ４）、操作された場合にはステップＳＤ３に戻って、操作された方向に対応する次の画像ファイルを再生する。また、カーソルキー９が操作されない場合には、削除キー１１が操作されたか否かを判別する（ステップＳＤ５）。削除キー１１が操作された場合には、このとき液晶モニタ７に再生表示されている画像ファイルがプロテクト設定されたものであるか否かを判別する（ステップＳＤ６）。プロテクト設定されている画像ファイルでない場合には、当該画像ファイルが音声付きであるか否かを判別する（ステップＳＤ７）。音声付きでない場合には、削除指定された画像ファイルのみをデータメモリ２７０から削除し（ステップＳＤ８）、音声付きである場合には、削除指定された画像ファイル及びこれに関連付けられている音声ファイルを削除する（ステップＳＤ９）。
【００８０】
しかし、ステップＳＤ６での判別の結果、液晶モニタ７に再生表示されている画像ファイルがプロテクト設定されたものであれば、その削除は禁止されることから、前述したステップＳＤ７〜ＳＤ９の処理が行われることなくリターンする。よって、アラームに必要な画像ファイルの誤削除を防止して、予め設定された画像によるアラーム機能を確実に発現させることができる。
【００８１】
一方、ステップＳＤ２での判別の結果、「音声」が選択された場合には、所定の音声ファイル（画像と関連付けられてない音声ファイル）に基づく音声、例えばレコード番号２７１の値が最も小さい音声ファイルに基づく音声を再生してスピーカー３０から放音させる（ステップＳＤ１０）。引き続き、カーソルキー９の上部又は下部が押下されたか否かを判断し（ステップＳＤ１１）、操作された場合にはステップＳＤ１２に戻って、操作された方向に対応する次の音声ファイルを再生する。また、カーソルキー９が操作されない場合には、削除キー１１が操作されたか否かを判別する（ステップＳＤ１２）。削除キー１１が操作された場合には、このときスピーカー３０から放音されている音声の音声ファイルがプロテクト設定されたものであるか否かを判別する（ステップＳＤ１３）。プロテクト設定されている音声ファイルでない場合には、当該音声ファイルをデータメモリ２７０から削除する（ステップＳＤ１４）。
【００８２】
しかし、ステップＳＤ１３での判別の結果、スピーカー３０から放音されている音声の音声ファイルがプロテクト設定されたものであれば、その削除は禁止されることから、ステップＳＤ１４の処理が行われることなくリターンする。よって、アラームに必要な音声ファイルの誤削除を防止して、予め設定された音声によるアラーム機能を確実に発現させることができる。
【００８３】
なお、この第２の実施の形態における時刻報知処理は、前述した第１の実施の形態と同様に、図７に示したフローチャートに従って実行される。
【００８４】
（第３の実施の形態）
【００８５】
図１０は、本発明の第３の実施の形態におけるアラーム設定テーブル３３の詳細を示す概念図である。このアラーム設定テーブル３３には、レコード番号３３１毎に、アラーム時刻、画像ファイル名、画像ファイル、音声ファイル名、音声ファイルを各々格納するアラーム時刻領域３３２、画像ファイル名領域３３３、画像ファイル領域３３５、音声ファイル名領域３３４、及び音声ファイル領域３３６が設けられている。
【００８６】
図１１は、第３の実施の形態においてユーザーが、液晶モニタ７に表示されたメニュー画面から、アラーム時刻を追加（又は変更）するための「アラーム設定」を選択したときの制御部２０によるアラーム設定処理の内容を示すフローチャートである。このフローチャートにおいて、ステップＳＥ１〜ＳＥ６、ＳＥ８、ＳＥ９、ＳＥ１１、ＳＥ１２の処理は、先述した図８のフローチャート（第１の実施の形態）におけるステップＳＡ１〜ＳＡ６、ＳＡ９、ＳＡ１１、ＳＡ１２の処理と同一であり、ステップＳＥ７、ＳＥ１０、ＳＥ１３のみがステップＳＡ７、ＳＡ１０、ＳＡ１３とは異なっている。
【００８７】
そして、ステップＳＥ７では、入力されたアラーム時刻をアラーム設定テーブル３３に記憶するとともに、選択された音声の音声ファイルをデータメモリ２７０からコピーしてファイル名とともに対応させて記憶し、アラーム設定テーブル３３を更新する（ステップＳＥ７）。したがって、スピーカー３０から放音された音声ファイル「音声ｒ」の音声が選択されたとすると、図１０のレコード番号（ＮＯ．）「４」に示すように、アラーム時刻と対応して、音声ファイル名領域３３４に音声ファイル名「ｒｒｒｒｒｒ．ｗａｖ」が記憶されるとともに、音声ファイル領域３３６に音声ファイル「音声ｒ」が記憶されることとなる。
【００８８】
また、ステップＳＥ１０では、入力されたアラーム時刻をアラーム設定テーブル３３に記憶するとともに、音声付きであるので（ステップＳＥ９でＹＥＳ）、選択された画像の画像ファイルと対応する音声ファイルとをデータメモリ２７０からコピーしてファイル名とともに対応させて記憶し、アラーム設定テーブル３３を更新する（ステップＳＥ１０）。したがって、液晶モニタ７に表示された画像ファイル「静止画ａ」の画像が選択されたとすると、図１０のレコード番号（ＮＯ．）「１」に示すように、アラーム時刻と対応して、画像ファイル名領域３３３に画像ファイル名「ａａａａａａ．ｊｐｇ」が記憶され、画像ファイル領域３３５に画像ファイル「静止画ａ」が記憶され、音声ファイル名領域３３４に音声ファイル名「ａａａｑｑｑ．ｗａｖ」が記憶されるとともに、音声ファイル領域３３６に音声ファイル「音声ａ」が記憶されることとなる。
【００８９】
また、液晶モニタ７に表示された画像ファイル「動画ｆ」の画像が選択されたとすると、図１０のレコード番号（ＮＯ．）「２」に示すように、アラーム時刻と対応して、画像ファイル名領域３３３に画像ファイル名「ｆｆｆｆｆｆ．ｊｐｇ」が記憶され、画像ファイル領域３３５に画像ファイル「動画ｆ」が記憶され、音声ファイル名領域３３４に音声ファイル名「ｆｆｆｑｑｑ．ｗａｖ」が記憶されるとともに、音声ファイル領域３３６に音声ファイル「音声ｆ」が記憶されることとなる。
【００９０】
さらに、ステップＳＥ１３では、入力されたアラーム時刻をアラーム設定テーブル３３に記憶するとともに、選択された画像のファイルと、選択された音声のファイルとをデータメモリ２７０からコピーしてファイル名とともに対応させて記憶し、アラーム設定テーブル３３を更新する（ステップＳＥ１３）。したがって、液晶モニタ７に表示された画像ファイル「静止画ｂ」の画像が選択され、かつスピーカー３０から放音された音声ファイル「音声ｑ」の音声が選択されたとすると、図１０のレコード番号（ＮＯ．）「３」に示すように、アラーム時刻と対応して、画像ファイル名領域３３３に画像ファイル名「ｂｂｂｂｂｂ．ｊｐｇ」が記憶され、画像ファイル領域３３５に画像ファイル「静止画ｂ」が記憶され、音声ファイル名領域３３４に音声ファイル名「ｑｑｑｑｑｑ．ｗａｖ」が記憶されるとともに、音声ファイル領域３３６に音声ファイル「音声ｑ」が記憶されることとなる。
【００９１】
そして、この第３の実施の形態における時刻報知処理は、前述した第１の実施の形態とほぼ同様に、図７に示したフローチャートに従って行われる。しかし、第１の実施の形態とは異なり、ステップＳＣ５、ＳＣ７、ＳＣ８、ＳＣ１０で設定画像を再生表示したり、設定音声を再生する際には、データメモリ２７０に記録されているファイルに基づき再生を実行することなく、アラーム設定テーブル３３に記憶されたファイルに基づき再生を実行することができる。したがって、ユーザがデータメモリ２７０に記録されているファイルを整理した際に、アラーム画像やアラーム音声として設定したファイルを削除しても、これに左右されることなく、設定画像や設定音声によるアラーム機能を確実に発現させることができる。
【００９２】
（第４の実施の形態）
【００９３】
本発明の第４の実施の形態において、アラーム設定テーブル３３の構成は図４に示した第１の実施の形態と同様である。
【００９４】
図１２は、第４の実施の形態において、ユーザーが、モード切換スイッチ６を操作して、記録（ＲＥＣ）モードから再生（ＰＬＡＹ）モードに切り換えたときの制御部２０による再生モード処理の内容を示すフローチャートである。制御部２０は、画像ファイルのみ及び音声付き画像ファイルの再生を意味する「画像」と、音声ファイルのみからなるファイルの再生を意味する「音声」との選択画面を液晶モニタ７に表示する（ステップＳＦ１）。この選択画面からユーザが「画像」を選択すると（ステップＳＦ２で「画像」）、データメモリ２７０に記録されている所定の画像ファイル、例えばレコード番号２７１の値が最も小さい画像ファイルのファイル名がアラーム設定テーブル３３に記憶されているか否かを判別する（ステップＳＦ３）。記憶されていない場合には、当該画像ファイルをＪＰＥＧ回路２６にて再生し液晶モニタ７に表示させる（ステップＳＦ４）。このとき、当該画像ファイルが音声付きである場合には、関連付けられている音声ファイルに基づく音声を音声処理回路２８において再生し、スピーカー３０から放音する。
【００９５】
しかし、画像ファイルのファイル名がアラーム設定テーブル３３に記憶されている場合には（ステップＳＦ３でＹＥＳ）、その旨を表示しつつ当該画像ファイルをＪＰＥＧ回路２６にて再生し液晶モニタ７に表示させる（音声付きである場合には音声も再生する）（ステップＳＦ５）。これにより、液晶モニタ７には、例えば「この画像はアラーム画像として登録されています。」等の表示を伴って画像が表示される。したがって、ユーザは、液晶モニタ７でのその旨の表示により、当該表示された画像はアラーム時において表示される画像であって、これを削除すると、画像によるアラーム機能の発現が不可能となることを認識することができる。よって、ユーザに対し当該画像のデータメモリ２７０からの削除を思いとどまらせることができ、その結果、アラームに必要な画像の誤削除を防止して、第１の実施の形態と同様の時刻報知処理（図７）において、予め設定された画像によるアラーム機能を確実に発現させることができる。
【００９６】
引き続き、カーソルキー９の上部又は下部が押下されたか否かを判断し（ステップＳＦ６）、操作された場合にはステップＳＦ３に戻って、操作された方向に対応する次の画像ファイルに対し、前述したステップＳＦ３〜ＳＦ５の処理を実行する。また、カーソルキー９が操作されない場合には、削除キー１１が操作されたか否かを判別する（ステップＳＦ７）。削除キー１１が操作された場合には、前述した図６におけるＳＢ９〜ＳＢ１１の処理をＳＦ８〜ＳＦ１０で行う。
【００９７】
一方、ステップＳＦ２での判別の結果、「音声」が選択された場合には、データメモリ２７０に記録されている所定の音声ファイル（画像と関連付けられてない音声ファイル）、例えばレコード番号２７１の値が最も小さい音声ファイルのファイル名がアラーム設定テーブル３３に記憶されているか否かを判別する（ステップＳＦ１１）。記憶されていない場合には、当該音声ファイルを音声処理回路２８で再生してスピーカー３０から放音させる（ステップＳＦ１２）。
【００９８】
しかし、音声ファイルのファイル名がアラーム設定テーブル３３に記憶されている場合には（ステップＳＦ１１でＹＥＳ）、その旨を液晶モニタ７に表示させつつ、当該音声ファイルを音声処理回路２８で再生してスピーカー３０から放音させる（ステップＳＦ１３）。したがって、液晶モニタ７はには、例えば「この音声はアラーム音声として登録されています。」等の表示を伴って、スピーカー３０から音声が再生される。したがって、ユーザは、液晶モニタ７でのその旨の表示により、当該再生された音声はアラーム時において出力される音声であって、これを削除すると、当該音声によるアラーム機能の発現が不可能となることを認識することができる。よって、ユーザに対し当該音声のデータメモリ２７０からの削除を思いとどまらせることができ、その結果、アラームに必要な音声の誤削除を防止して、第１の実施の形態と同様の時刻報知処理（図７）において、予め設定された音声によるアラーム機能を確実に発現させることができる。
【００９９】
引き続き、カーソルキー９の上部又は下部が押下されたか否かを判断し（ステップＳＦ１４）、操作された場合にはステップＳＦ１１に戻って、操作された方向に対応する次の音声ファイルに対し、前述したステップＳＦ１１〜ＳＦ１３の処理を実行する。また、カーソルキー９が操作されない場合には、削除キー１１が操作されたか否かを判別する（ステップＳＦ１５）。削除キー１１が操作された場合には、当該音声ファイルをデータメモリ２７０から削除する（ステップＳＦ１６）。
【０１００】
なお、この第４の実施の形態においては、当該ファイルのファイル名がアラーム設定テーブル３３に設定されている旨を液晶モニタ７での表示に行うようにしたが、液晶モニタ７での表示とスピーカー３０からの音声、あるいはスピーカー３０からの音声のみにより行うようにしてもよい。
また、各実施の形態では、音声付き静止画や音声付き動画が、画像ファイルと音声ファイルとに分けて記録されている場合を示したが、当然それらは単一のファイルとして記録される構成であってもかまわない。また、本発明は、各実施の形態のように主として静止画の記録を目的としたデジタルカメラに限らず、デジタルビデオカメラ、カメラ付き携帯電話機、カメラ付きＰＤＡ等の他のカメラ装置にも採用することができる。
【０１０１】
また、本実施の形態においては画像アラーム機能と音声アラーム機能とを併有する装置に本発明を採用するようにしたが、音声アラーム機能のみを備えたものにも本発明を採用することができる。
また、本実施の形態では、予め設定した時刻の到来を報知するアラーム機能を備えたものについて説明したが、これ以外にも、時刻でなく所望する時間、例えば１時間後や２時間後といったような時間を予め設定しておくと、その時間が到来（経過）した時点で、その旨を報知するアラーム機能、つまりタイマー機能を備えたものに本発明を採用してもよい。
【図面の簡単な説明】
【０１０２】
【図１】本発明の各実施の形態係るデジタルカメラがクレードルに装着された状態を示す外観斜視図である。
【図２】同デジタルカメラのブロック図である。
【図３】データメモリの構成を示す概念図である。
【図４】アラーム設定テーブルの構成を示す概念図である。
【図５】第１の実施の形態におけるアラーム設定処理の処理手順を示すフローチャートである。
【図６】同実施の形態における再生モード処理の処理手順を示すフローチャートである。
【図７】同実施の形態における時刻報知処理の処理手順を示すフローチャートである。
【図８】本発明の第２の実施の形態におけるアラーム設定処理の処理手順を示すフローチャートである。
【図９】同実施の形態における再生モード処理の処理手順を示すフローチャートである。
【図１０】本発明の第３の実施の形態におけるアラーム設定テーブルの構成を示す概念図である。
【図１１】同実施の形態におけるアラーム設定処理の処理手順を示すフローチャートである。
【図１２】本発明の第４の実施の形態における再生モード処理の処理手順を示すフローチャートである。
【符号の説明】
【０１０３】
１    デジタルカメラ
６    モード切換スイッチ
７    液晶モニタ
８    キー
９    カーソルキー
１１    削除キー
２０    制御部
２４    表示部
２７    フラッシュメモリ
２８    音声処理回路
３０    スピーカー
２７０    データメモリ
２７１    レコード番号
２７２    画像ファイル名領域
２７３    画像ファイル領域
２７４    音声ファイル名領域
２７５    音声ファイル領域
３３１    レコード番号
３３２    アラーム時刻領域
３３３    画像ファイル名領域
３３４    音声ファイル名領域
３３５    画像ファイル領域
３３６    音声ファイル領域
【図１】
2005175728.tif 000003
【図２】
2005175728.tif 000004
【図３】
2005175728.tif 000005
【図４】
2005175728.tif 000006
【図５】
2005175728.tif 000007
【図６】
2005175728.tif 000008
【図７】
2005175728.tif 000009
【図８】
2005175728.tif 000010
【図９】
2005175728.tif 000011
【図１０】
2005175728.tif 000012
【図１１】
2005175728.tif 000013
【図１２】
2005175728.tif 000014